(57)【要約】【課題】肢体不自由者の肉体的・精神的な負担を軽減することができる肢体不自由者用の遠隔操作装置を提供する。【解決手段】小型で軽い磁石１１が、肢体不自由者１の顎２に貼り付けられる。パターン記憶手段が、磁石１１の動きに対応した電気信号の複数のパターンを記憶している。磁気センサ１２が、磁石１１の磁気を検出して、磁石１１の動きに対応して変化する電気信号を出力する。信号出力手段１３が、磁気センサ１２からの電気信号を入力する。信号出力手段１３は、その電気信号の変化をパターン記憶手段に記憶された複数のパターンと比較して一致するとき、そのパターンに対応した遠隔操作信号を出力する。身の回りの家電製品や呼出ベル、電動ベッドなどの機器５が、遠隔操作信号により様々に動作するよう設定されている。肢体不自由者１は、顎２を動かすだけで、様々な機器５を容易に操作することができる。【選択図】図１
2006024055.tif 000002
【特許請求の範囲】
【請求項１】
顎に貼り付け可能な磁石と、
前記磁石の磁気を検出して前記磁石の動きに対応して変化する電気信号を出力する磁気センサと、
前記磁気センサからの電気信号を入力し、その電気信号の変化に応じて複数種類の遠隔操作信号を出力する信号出力手段とを、
有することを特徴とする肢体不自由者用の遠隔操作装置。
【請求項２】
前記磁石は複数から成り、
前記磁石の動きに対応した電気信号の複数のパターンを記憶するパターン記憶手段を有し、
前記信号出力手段は、前記磁気センサからの電気信号を入力し、その電気信号の変化を前記パターン記憶手段に記憶された複数のパターンと比較して一致するとき、そのパターンに対応した遠隔操作信号を出力することを、
特徴とする請求項１記載の肢体不自由者用の遠隔操作装置。
【請求項３】
前記磁石は上顎の歯または下顎の歯に取り付けられ、
前記磁気センサおよび前記信号出力手段は前記上顎の歯または前記下顎の歯の前記磁石と対向する位置に取り付けられていることを、
特徴とする請求項１または２記載の肢体不自由者用の遠隔操作装置。
【発明の詳細な説明】
【技術分野】
【０００１】
本発明は、肢体不自由者用の遠隔操作装置に関する。
【背景技術】
【０００２】
現在、手足の全く動かない肢体不自由者は、身の回りの家電製品や呼出ベル、電動ベッドなどの操作を、介護者に委ねなければならない。このことは、肢体不自由者にとって、精神的な苦痛となっている。そこで、肢体不自由者が操作可能な装置として、顎や口で操作できる位置に２つの入力スイッチと赤外線を照射するポインタとが取り付けられた装着バンドを顔に装着して、顎や口で入力操作ができるポインティングデバイスが提案されている（例えば、特許文献１参照）。
【０００３】
【特許文献１】特開２００１−２９０５８９号公報
【発明の開示】
【発明が解決しようとする課題】
【０００４】
しかしながら、特許文献１記載の装置は、装着バンドを顔に装着するため、肢体不自由者にとって肉体的な負担になるという課題があった。また、介護者が装着バンドの着脱を介助する必要があるため、肢体不自由者の精神的な負担を軽減するにはまだ不十分であるという課題があった。
【０００５】
本発明は、このような課題に着目してなされたもので、肢体不自由者の肉体的・精神的な負担を軽減することができる肢体不自由者用の遠隔操作装置を提供することを目的としている。
【課題を解決するための手段】
【０００６】
上記目的を達成するために、本発明者らは、手足の全く動かない肢体不自由者の残存機能のひとつである顎の運動に注目して、本発明に係る肢体不自由者用の遠隔操作装置を発明するに至った。
すなわち、本発明に係る肢体不自由者用の遠隔操作装置は、顎に貼り付け可能な磁石と、前記磁石の磁気を検出して前記磁石の動きに対応して変化する電気信号を出力する磁気センサと、前記磁気センサからの電気信号を入力し、その電気信号の変化に応じて複数種類の遠隔操作信号を出力する信号出力手段とを、有することを特徴とする。
【０００７】
本発明に係る肢体不自由者用の遠隔操作装置は、肢体不自由者の顎に磁石を貼り付けて使用される。顎は肢体不自由者が自分の意志で動かすことができる残存機能のひとつであり、肢体不自由者が顎を動かすと、同時に顎に貼り付けられた磁石も動く。磁気センサがその磁石の動きに対応して変化する電気信号を出力し、信号出力手段がその電気信号の変化に応じて複数種類の遠隔操作信号を出力する。この出力された遠隔操作信号に基づいて様々な機器が動作するよう予め設定しておくことにより、肢体不自由者は顎を動かすだけで、様々な機器を容易に操作することができる。
【０００８】
機器を操作するには、肢体不自由者の顎に磁石を貼り付けるだけでよく、操作の準備が容易である。このため、介護者は介助にほとんど手間がかからず、肢体不自由者の精神的な負担を軽減することができる。また、小型で軽い磁石を貼り付けるだけで操作の準備が可能なため、装着バンドを顔に装着する場合と比べ、肢体不自由者の肉体的な負担を軽減することができる。なお、磁石を貼り付ける顎は、上顎より動作が大きいことから下顎が好ましい。
【０００９】
信号出力手段からの遠隔操作信号により操作可能な機器としては、電動車イス、身の回りの家電製品や呼出ベル、電動ベッドなどが好ましい。肢体不自由者が自らの意思でこれらの機器を操作することにより、肢体不自由者およびその介護者の肉体的・精神的な負担を軽減することができる。また、肢体不自由者の機能・形態障害への治療的援助、能力障害への代償的援助、社会的不利への社会環境の改善、さらには生活の質を向上させることもできる。
【００１０】
本発明に係る肢体不自由者用の遠隔操作装置で、前記磁石は複数から成り、前記磁石の動きに対応した電気信号の複数のパターンを記憶するパターン記憶手段を有し、前記信号出力手段は、前記磁気センサからの電気信号を入力し、その電気信号の変化を前記パターン記憶手段に記憶された複数のパターンと比較して一致するとき、そのパターンに対応した遠隔操作信号を出力してもよい。
【００１１】
このパターン記憶手段を有する構成では、例えば顎を動かす方向やその回数など、あらかじめ決められた顎の複数の動作パターンのそれぞれに対応して、遠隔操作信号を出力することができる。このため、出力される遠隔操作信号ごとに機器の動作を予め設定しておくことにより、顎の複数の動作パターンに応じて機器の複雑な操作が可能となる。特に、磁石は複数から成るため、１つだけから成る場合に比べて電気信号のパターンを増やすことができ、機器の操作の種類を増やすことができる。なお、複数の磁石は、例えば、上顎と下顎、口角付近など口の周囲に貼り付けることが好ましい。パターン記憶手段に記憶される複数のパターンは、例えば、所定の言葉に対応した磁石の動きごとに設定してもよい。
【００１２】
また、本発明に係る肢体不自由者用の遠隔操作装置で、前記磁石は上顎の歯または下顎の歯に取り付けられ、前記磁気センサおよび前記信号出力手段は前記上顎の歯または前記下顎の歯の前記磁石と対向する位置に取り付けられていてもよい。この場合、磁石、磁気センサおよび信号出力手段を口腔内の義歯や歯牙に、接着剤やネジ止めなどにより取り付けることができる。また、はめ込み式の義歯床のような構造物に取り付けて、歯牙に装着することもできる。これにより、磁石、磁気センサおよび信号出力手段の取付が容易であり、これらが不意に脱離することもなく安全性が高い。また、口腔内からの唾液の漏出がなく、衛生的である。なお、現代医学では、このような口腔内への磁石、磁気センサおよび信号出力手段の装着は容易である。
【発明の効果】
【００１３】
本発明によれば、肢体不自由者の肉体的・精神的な負担を軽減することができる肢体不自由者用の遠隔操作装置を提供することができる。
【発明を実施するための最良の形態】
【００１４】
以下、図面に基づき、本発明の実施の形態について説明する。
図１および図２は、本発明の実施の形態の肢体不自由者用の遠隔操作装置を示している。
図１および図２に示すように、遠隔操作装置１０は、磁石１１と磁気センサ１２と信号出力手段１３とを有している。
【００１５】
磁石１１は、小型で軽い永久磁石から成り、両面テープで肢体不自由者１の顎２に貼り付け可能である。
磁気センサ１２は、磁場を検出し、その大きさに比例した電気信号を出力するホール素子から成る。磁気センサ１２は、ベッドのフレームなどから中央側に張り出して、磁石１１から所定の距離の範囲内に取り付けられている。磁気センサ１２は、磁石１１の磁場を検出し、磁石１１の動きによる磁石１１との距離の変化に対応して変化する電気信号を出力するよう構成されている。磁気センサ１２は、磁石１１の磁場を検出するとき、自動的に感度を調節して最適な信号を検出するよう構成されている。なお、磁気センサ１２は、感度を手動調節可能であってもよい。
【００１６】
図２に示すように、信号出力手段１３は、直流磁界用の磁束測定装置１４とコンパレータ１５とメモリ１６と出力制御部１７と信号出力部１８とを一体的に有している。磁束測定装置１４は、磁気センサ１２にケーブル（図示せず）で接続され、磁気センサ１２の電気信号を入力するよう構成されている。磁束測定装置１４は、磁束密度を測定可能である。なお、磁気センサ１２が発信機を有して無線で電気信号を出力し、磁束測定装置１４がその電気信号を無線で入力可能であってもよい。コンパレータ１５は、あらかじめ設定された基準電圧に対して、磁束測定装置１４に入力された電気信号が高いか低いかを比較し、高い場合にはＯＮ、低い場合にはＯＦＦの電気信号に変換するよう構成されている。
【００１７】
メモリ１６は、磁石１１の動きに対応したＯＮ／ＯＦＦの電気信号の複数のパターンをあらかじめ記憶するパターン記憶手段１９と、その各電気信号のパターンを複数の遠隔操作信号に対応させて記憶する信号記憶手段２０とを有している。出力制御部１７は、コンパレータ１５により変換されたＯＮ／ＯＦＦの電気信号のパターンを、パターン記憶手段１９に記憶された複数のパターンと比較する。電気信号のパターンが互いに一致するとき、そのパターンに対応させて信号記憶手段２０に記憶された遠隔操作信号を、信号出力部１８を介して出力するよう構成されている。
【００１８】
信号出力部１８は、ＵＳＢポート２１と赤外線発光ダイオード２２とから成っている。図１に示すように、信号出力手段１３は、出力制御部１７により出力される遠隔操作信号を、ＵＳＢケーブル３や赤外線センサ４を介して様々な機器５に出力可能である。ここで、遠隔操作信号を出力可能な機器５は、身の回りの家電製品や呼出ベル、電動ベッドなどである。これらの機器５は、ＵＳＢケーブル３を接続可能であるか、赤外線センサ４を有しており、遠隔操作信号により様々に動作するよう設定可能である。
なお、図１に示すように、信号出力手段１３は、太陽電池６、直流電源７または交流電源８により稼働する。
【００１９】
次に、作用について説明する。
あらかじめ、顎２を動かす方向やその回数など、顎２の複数の動作パターンのそれぞれに対応した、ＯＮ／ＯＦＦの電気信号の複数のパターンをパターン記憶手段１９に記憶させる。また、その各電気信号のパターンを複数の遠隔操作信号に対応させて信号記憶手段２０に記憶させる。さらに、出力される遠隔操作信号ごとに機器５の動作を予め設定しておく。
【００２０】
図１に示すように、肢体不自由者用の遠隔操作装置１０は、肢体不自由者１の顎２に磁石１１を貼り付けて使用される。このとき、上顎より動作が大きい下顎に磁石１１を貼り付ける。顎２は肢体不自由者１が自分の意志で動かすことができる残存機能のひとつであり、肢体不自由者１が顎２を動かすと、同時に顎２に貼り付けられた磁石１１も動く。磁気センサ１２がその磁石１１の動きに対応して変化する電気信号を出力する。磁束測定装置１４がその電気信号を入力し、コンパレータ１５がＯＮ／ＯＦＦの電気信号に変換する。出力制御部１７が、そのＯＮ／ＯＦＦの電気信号をパターン記憶手段１９に記憶された複数のパターンと比較する。電気信号のパターンが互いに一致するとき、そのパターンに対応させて信号記憶手段２０に記憶された遠隔操作信号を、信号出力部１８を介して機器５に出力する。
【００２１】
こうして、あらかじめ決められた顎２の複数の動作パターンのそれぞれに対応して、遠隔操作信号を出力することができ、あらかじめ設定された機器５の操作が可能となる。また、肢体不自由者１は顎２を動かすだけで、様々な機器５を容易に操作することができる。
【００２２】
肢体不自由者１が自らの意思で身の回りの家電製品や呼出ベル、電動ベッドなどの機器５を操作することにより、肢体不自由者１およびその介護者の肉体的・精神的な負担を軽減することができる。また、肢体不自由者１の生活の質を向上させることもできる。
【００２３】
機器５を操作するには、肢体不自由者１の顎２に磁石１１を貼り付けるだけでよく、操作の準備が容易である。このため、介護者は介助にほとんど手間がかからず、肢体不自由者１の精神的な負担を軽減することができる。また、小型で軽い磁石１１を貼り付けるだけで操作の準備が可能なため、装着バンドを顔に装着する場合と比べ、肢体不自由者１の肉体的な負担を軽減することができる。
【００２４】
肢体不自由者１に取り付ける操作部が磁石１１だけから成るため、操作部に電気スイッチや発光素子などを有する場合に比べ、操作部に電気などのエネルギーを供給する必要がない。このため、省エネルギーであり、メンテナンスの手間を減らすことができ、ケーブル配線が不要である。
【００２５】
なお、遠隔操作装置１０で、磁石１１は複数から成っていてもよい。この場合、１つだけから成る場合に比べて電気信号のパターンを増やすことができ、機器５の操作の種類を増やしたり、複雑な操作を行うようにしたりすることができる。
【００２６】
肢体不自由者用の遠隔操作装置１０で、磁石１１は、図３（ａ）乃至（ｃ）に示すいずれの方法で取り付けられていてもよい。図３（ａ）では、口腔内の上顎または下顎の義歯９ａに接着剤やネジ止めなどにより取り付けられる例を示す。図３（ｂ）では、プラスチックやゴム製のはめ込み式の義歯床９ｂに取り付けられて歯牙９ｃに装着される例を示す。図３（ｃ）では、歯牙９ｃに接着剤やネジ止めなどにより直接取り付けられる例を示す。
【００２７】
また、肢体不自由者用の遠隔操作装置１０で、磁気センサ１２、信号出力手段１３および電源の電池は、検出部２３として一体化されて、図４（ａ）乃至（ｃ）に示すいずれの方法で取り付けられていてもよい。図４（ａ）では、口腔内の上顎または下顎の磁石１１と対向する位置で、義歯９ａに接着剤やネジ止めなどにより取り付けられる例を示す。図４（ｂ）では、プラスチックやゴム製のはめ込み式の義歯床９ｂに取り付けられて歯牙９ｃに装着される例を示す。図４（ｃ）では、歯牙９ｃに接着剤やネジ止めなどにより直接取り付けられる例を示す。
【００２８】
図３および図４に示す場合、磁石１１および検出部２３の取付が容易であり、これらが不意に脱離することもなく安全性が高い。また、口腔内からの唾液の漏出がなく、衛生的である。
【図面の簡単な説明】
【００２９】
【図１】本発明の実施の形態の肢体不自由者用の遠隔操作装置の使用状態を示す説明図である。
【図２】図１に示す肢体不自由者用の遠隔操作装置の信号出力手段の構成を示すブロック図である。
【図３】図１に示す肢体不自由者用の遠隔操作装置の磁石を（ａ）義歯に取り付けた変形例、（ｂ）義歯床に取り付けた変形例、（ｃ）歯牙に取り付けた変形例を示す説明図である。
【図４】図１に示す肢体不自由者用の遠隔操作装置の磁気センサ、信号出力手段および電源の電池を（ａ）義歯に取り付けた変形例、（ｂ）義歯床に取り付けた変形例、（ｃ）歯牙に取り付けた変形例を示す説明図である。
【符号の説明】
【００３０】
１    肢体不自由者
２    顎
３    ＵＳＢケーブル
４    赤外線センサ
５    機器
１０  遠隔操作装置
１１  磁石
１２  磁気センサ
１３  信号出力手段
１４  磁束測定装置
１５  コンパレータ
１６  メモリ
１７  出力制御部
１８  信号出力部
１９  パターン記憶手段
２０  信号記憶手段
２１  ＵＳＢポート
２２  赤外線発光ダイオード
【図１】
2006024055.tif 000003
【図２】
2006024055.tif 000004
【図３】
2006024055.tif 000005
【図４】
2006024055.tif 000006
【手続補正書】
【提出日】平成16年10月12日(2004.10.12)
【手続補正１】
【補正対象書類名】特許請求の範囲
【補正対象項目名】全文
【補正方法】変更
【補正の内容】
【特許請求の範囲】
【請求項１】
上顎の歯または下顎の歯に取り付けられた磁石と、
前記上顎の歯または前記下顎の歯の前記磁石と対向する位置に取り付けられ、前記磁石の磁気を検出して前記磁石の動きに対応して変化する電気信号を出力する磁気センサと、
前記上顎の歯または前記下顎の歯の前記磁石と対向する位置に取り付けられ、前記磁気センサからの電気信号を入力し、その電気信号の変化に応じて複数種類の遠隔操作信号を出力する信号出力手段とを、
有することを特徴とする肢体不自由者用の遠隔操作装置。
【請求項２】
前記磁石は複数から成り、
前記磁石の動きに対応した電気信号の複数のパターンを記憶するパターン記憶手段を有し、
前記信号出力手段は、前記磁気センサからの電気信号を入力し、その電気信号の変化を前記パターン記憶手段に記憶された複数のパターンと比較して一致するとき、そのパターンに対応した遠隔操作信号を出力することを、
特徴とする請求項１記載の肢体不自由者用の遠隔操作装置。
【請求項３】
前記磁気センサおよび前記信号出力手段は、電源の電池とともに一体化されて前記上顎の歯または前記下顎の歯の前記磁石と対向する位置に取り付けられていることを、特徴とする請求項１または２記載の肢体不自由者用の遠隔操作装置。
【手続補正２】
【補正対象書類名】明細書
【補正対象項目名】０００６
【補正方法】変更
【補正の内容】
【０００６】
上記目的を達成するために、本発明者らは、手足の全く動かない肢体不自由者の残存機能のひとつである顎の運動に注目して、本発明に係る肢体不自由者用の遠隔操作装置を発明するに至った。
すなわち、本発明に係る肢体不自由者用の遠隔操作装置は、上顎の歯または下顎の歯に取り付けられた磁石と、前記上顎の歯または前記下顎の歯の前記磁石と対向する位置に取り付けられ、前記磁石の磁気を検出して前記磁石の動きに対応して変化する電気信号を出力する磁気センサと、前記上顎の歯または前記下顎の歯の前記磁石と対向する位置に取り付けられ、前記磁気センサからの電気信号を入力し、その電気信号の変化に応じて複数種類の遠隔操作信号を出力する信号出力手段とを、有することを特徴とする。
【手続補正３】
【補正対象書類名】明細書
【補正対象項目名】０００７
【補正方法】変更
【補正の内容】
【０００７】
本発明に係る肢体不自由者用の遠隔操作装置は、肢体不自由者の上顎の歯または下顎の歯に磁石を取り付けて使用される。顎は肢体不自由者が自分の意志で動かすことができる残存機能のひとつであり、肢体不自由者が顎を動かすと、同時に上顎の歯または下顎の歯に取り付けられた磁石も動く。磁気センサがその磁石の動きに対応して変化する電気信号を出力し、信号出力手段がその電気信号の変化に応じて複数種類の遠隔操作信号を出力する。この出力された遠隔操作信号に基づいて様々な機器が動作するよう予め設定しておくことにより、肢体不自由者は顎を動かすだけで、様々な機器を容易に操作することができる。
【手続補正４】
【補正対象書類名】明細書
【補正対象項目名】０００８
【補正方法】変更
【補正の内容】
【０００８】
本発明に係る肢体不自由者用の遠隔操作装置は、磁石、磁気センサおよび信号出力手段を口腔内の義歯や歯牙に、接着剤やネジ止めなどにより取り付けることができる。また、はめ込み式の義歯床のような構造物に取り付けて、歯牙に装着することもできる。これにより、磁石、磁気センサおよび信号出力手段の取付が容易であり、これらが不意に脱離することもなく安全性が高い。また、口腔内からの唾液の漏出がなく、衛生的である。なお、現代医学では、このような口腔内への磁石、磁気センサおよび信号出力手段の装着は容易である。
このため、介護者は介助にほとんど手間がかからず、肢体不自由者の精神的な負担を軽減することができる。また、小型で軽い磁石を取り付けるだけで操作の準備が可能なため、装着バンドを顔に装着する場合と比べ、肢体不自由者の肉体的な負担を軽減することができる。なお、磁石を取り付ける顎は、上顎より動作が大きいことから下顎が好ましい。
【手続補正５】
【補正対象書類名】明細書
【補正対象項目名】００１１
【補正方法】変更
【補正の内容】
【００１１】
このパターン記憶手段を有する構成では、例えば顎を動かす方向やその回数など、あらかじめ決められた顎の複数の動作パターンのそれぞれに対応して、遠隔操作信号を出力することができる。このため、出力される遠隔操作信号ごとに機器の動作を予め設定しておくことにより、顎の複数の動作パターンに応じて機器の複雑な操作が可能となる。特に、磁石は複数から成るため、１つだけから成る場合に比べて電気信号のパターンを増やすことができ、機器の操作の種類を増やすことができる。パターン記憶手段に記憶される複数のパターンは、例えば、所定の言葉に対応した磁石の動きごとに設定してもよい。
【手続補正６】
【補正対象書類名】明細書
【補正対象項目名】００１２
【補正方法】変更
【補正の内容】
【００１２】
本発明に係る肢体不自由者用の遠隔操作装置で、前記磁気センサおよび前記信号出力手段は、電源の電池とともに一体化されて前記上顎の歯または前記下顎の歯の前記磁石と対向する位置に取り付けられていてもよい。
【手続補正書】
【提出日】平成17年11月7日(2005.11.7)
【手続補正１】
【補正対象書類名】特許請求の範囲
【補正対象項目名】全文
【補正方法】変更
【補正の内容】
【特許請求の範囲】
【請求項１】
上顎の歯牙、義歯もしくは義歯床、または、下顎の歯牙、義歯もしくは義歯床に取り付けられた磁石と、
上顎の歯牙、義歯もしくは義歯床、または、下顎の歯牙、義歯もしくは義歯床の前記磁石と対向する位置に取り付けられ、前記磁石の磁気を検出して前記磁石の動きに対応して変化する電気信号を出力する磁気センサと、
上顎の歯牙、義歯もしくは義歯床、または、下顎の歯牙、義歯もしくは義歯床の前記磁石と対向する位置に取り付けられ、前記磁気センサからの電気信号を入力し、その電気信号の変化に応じて複数種類の遠隔操作信号を出力する信号出力手段とを、
有することを特徴とする肢体不自由者用の遠隔操作装置。
【請求項２】
前記磁石は複数から成り、
前記磁石の動きに対応した電気信号の複数のパターンを記憶するパターン記憶手段を有し、
前記信号出力手段は、前記磁気センサからの電気信号を入力し、その電気信号の変化を前記パターン記憶手段に記憶された複数のパターンと比較して一致するとき、そのパターンに対応した遠隔操作信号を出力することを、
特徴とする請求項１記載の肢体不自由者用の遠隔操作装置。
【請求項３】
前記磁気センサおよび前記信号出力手段は、電源の電池とともに一体化されて上顎の歯牙、義歯もしくは義歯床、または、下顎の歯牙、義歯もしくは義歯床の前記磁石と対向する位置に取り付けられていることを、特徴とする請求項１または２記載の肢体不自由者用の遠隔操作装置。
【手続補正２】
【補正対象書類名】明細書
【補正対象項目名】０００６
【補正方法】変更
【補正の内容】
【０００６】
上記目的を達成するために、本発明者らは、手足の全く動かない肢体不自由者の残存機能のひとつである顎の運動に注目して、本発明に係る肢体不自由者用の遠隔操作装置を発明するに至った。
すなわち、本発明に係る肢体不自由者用の遠隔操作装置は、上顎の歯牙、義歯もしくは義歯床、または、下顎の歯牙、義歯もしくは義歯床に取り付けられた磁石と、上顎の歯牙、義歯もしくは義歯床、または、下顎の歯牙、義歯もしくは義歯床の前記磁石と対向する位置に取り付けられ、前記磁石の磁気を検出して前記磁石の動きに対応して変化する電気信号を出力する磁気センサと、上顎の歯牙、義歯もしくは義歯床、または、下顎の歯牙、義歯もしくは義歯床の前記磁石と対向する位置に取り付けられ、前記磁気センサからの電気信号を入力し、その電気信号の変化に応じて複数種類の遠隔操作信号を出力する信号出力手段とを、有することを特徴とする。
【手続補正３】
【補正対象書類名】明細書
【補正対象項目名】０００７
【補正方法】変更
【補正の内容】
【０００７】
本発明に係る肢体不自由者用の遠隔操作装置は、肢体不自由者の上顎の歯牙、義歯もしくは義歯床、または、下顎の歯牙、義歯もしくは義歯床に磁石を取り付けて使用される。顎は肢体不自由者が自分の意志で動かすことができる残存機能のひとつであり、肢体不自由者が顎を動かすと、同時に上顎の歯牙、義歯もしくは義歯床、または、下顎の歯牙、義歯もしくは義歯床に取り付けられた磁石も動く。磁気センサがその磁石の動きに対応して変化する電気信号を出力し、信号出力手段がその電気信号の変化に応じて複数種類の遠隔操作信号を出力する。この出力された遠隔操作信号に基づいて様々な機器が動作するよう予め設定しておくことにより、肢体不自由者は顎を動かすだけで、様々な機器を容易に操作することができる。
【手続補正４】
【補正対象書類名】明細書
【補正対象項目名】００１２
【補正方法】変更
【補正の内容】
【００１２】
本発明に係る肢体不自由者用の遠隔操作装置で、前記磁気センサおよび前記信号出力手段は、電源の電池とともに一体化されて上顎の歯牙、義歯もしくは義歯床、または、下顎の歯牙、義歯もしくは義歯床の前記磁石と対向する位置に取り付けられていてもよい。